(57)【要約】【課題】画像形成装置において、簡易な構造により筐体にスキャナリッドと異物ガードとを設け、記録紙トレイへの異物の落下を防止し、且つ、記録紙トレイへ記録紙を容易に装填可能にする。【解決手段】画像形成装置１の上部に設けられたスキャナ筐体２０には、記録紙トレイ１５の幅方向に渡りスキャナリッド（リッド）１１の上方に突出し、異物が落下しないようにガードする異物ガード４０が設けられている。異物ガード４０の両側面には、長穴形状のヒンジ穴４１が形成されている。リッド１１は、その回動軸１１ｂがヒンジ穴４１に摺動可能に嵌装されて、異物ガード４０に取り付けられている。リッド１１は、別途ヒンジ部材等を用いることなく、スキャナ筐体２０に対し、回動可能に、且つ、上下に変位可能に取り付けられる。【選択図】図１
2008306271.tif 000002
【特許請求の範囲】
【請求項１】
プリンタ筐体と、
前記プリンタ筐体の背面に、上面が装置前方を向くように傾けて設けられ、記録紙が立てかけられるようにして装填される記録紙トレイと、
前記プリンタ筐体上部に配置され、上面に略矩形形状の原稿台が設けられたスキャナ筐体と、
前記原稿台の上面を覆うように配置され、原稿を前記原稿台との間で挟むことにより、その原稿を前記原稿台に密着させる略平板状のスキャナリッドと、
前記記録紙トレイの前方に、前記記録紙トレイの幅方向に渡り前記スキャナリッドの上面から突出するように設けられ、前記スキャナリッド上面から異物が前記記録紙トレイ上に落下しないようにガードする異物ガードと、
前記スキャナ筐体の内部に収納されており、前記原稿台上に載置された原稿を画像データとして読み取る機能を有するスキャナ部と、
前記プリンタ筐体の内部に配置され、前記スキャナ部により読み取られた原稿の画像データ又は外部装置から入力された画像データに基づいて、前記記録紙トレイから給紙された記録紙に画像を形成する機能を有する画像形成部とを備え、
前記記録紙トレイは、記録紙を装填可能な開状態から前方に回動され、前記スキャナリッドに沿うような収納状態に変位可能に構成されている画像形成装置において、
前記スキャナ筐体は、その上面に形成され前記異物ガードが貫装された孔部と、前記孔部の長手方向両側部下方に、上下方向に形成された支持溝部とを有しており、
前記異物ガードは、
前記孔部から上方に突出する平板部と、
前記平板部下方に設けられ、前記スキャナ筐体内部に埋入される鍔部と、
前記平板部の両側部下方に形成され前記支持溝部に嵌装されたガイド突起と、
前記平板部の両側面の上方に上下方向が長手方向となるような長穴形状に形成されたヒンジ穴とを有しており、
前記スキャナリッドは、前記ヒンジ穴に摺動可能に嵌装された突起形状の回動軸を有しており、前記スキャナ筐体に対し、前記回動軸を中心に回動可能に、且つ、前記ヒンジ穴に沿って上下に変位可能に取り付けられており、
前記異物ガードの鍔部と、前記スキャナ筐体内部の前記鍔部に対向する部位との間に、前記異物ガードを上方に付勢するように自然状態から圧縮されたばねが配置されており、
前記異物ガードは、前記記録紙トレイが開状態であるときには、前記ばねに付勢され前記平板部が前記スキャナリッドの上面から突出し、異物の前記記録紙トレイ上への落下を防止することが可能であり、前記記録紙トレイが開状態から収納状態になるとき、前記異物ガードの上端部に前記記録紙トレイが当接し、前記ガイド突起が前記支持溝部に沿って摺動することにより、前記異物ガードが下方に変位して前記スキャナ筐体内部に押し込まれ、コンパクトに収納可能になることを特徴とする画像形成装置。
【請求項２】
プリンタ筐体と、
前記プリンタ筐体の背面に、上面が装置前方を向くように傾けて設けられ、記録紙が立てかけられるようにして装填される記録紙トレイと、
前記プリンタ筐体上部に配置され、上面に原稿台が設けられたスキャナ筐体と、
前記原稿台の上面を覆うように配置され、原稿を前記原稿台との間で挟むことによりその原稿を前記原稿台に密着させるスキャナリッドと、
前記記録紙トレイの前方に、前記記録紙トレイの幅方向に渡り前記スキャナリッドの上面から突出するように設けられ、前記スキャナリッド上面から異物が前記記録紙トレイ上に落下しないようにガードする異物ガードと、
前記スキャナ筐体の内部に収納されており、前記原稿台上に載置された原稿を画像データとして読み取る機能を有するスキャナ部と、
前記プリンタ筐体の内部に配置され、前記スキャナ部により読み取られた原稿の画像データ又は外部装置から入力された画像データに基づいて、前記記録紙トレイから給紙された記録紙に画像を形成する機能を有する画像形成部とを備えた画像形成装置において、
前記異物ガードは、前記スキャナ筐体に、上方に突出するように設けられており、
前記異物ガードの両側面には、水平方向に対し角度をつけた方向が長手方向となるような長穴形状に形成されたヒンジ穴が形成されており、
前記スキャナリッドは、前記ヒンジ穴に摺動可能に嵌装された突起形状の回動軸を有しており、前記スキャナ筐体に対し、前記回動軸を中心に回動可能に、且つ、前記ヒンジ穴の長手方向に変位可能に取り付けられていることを特徴とする画像形成装置。
【請求項３】
前記スキャナ筐体は、その上面に形成され前記異物ガードが貫装された孔部と、前記スキャナ筐体内部のうち前記孔部の端縁近傍部位の下方に、上下方向に形成された支持溝部とを有しており、
前記異物ガードは、
前記孔部から上方に突出する平板部と、
前記平板部下方に設けられ、前記スキャナ筐体内部に埋入される鍔部と、
前記平板部又は鍔部に形成され前記支持溝部に嵌装されたガイド突起とをさらに有しており、
前記異物ガードは、前記ガイド突起が前記支持溝部に沿って摺動することにより、前記平板部が前記スキャナ筐体の上面から突出した状態から下方に変位し、前記スキャナ筐体内部に押し込まれることを特徴とする請求項２に記載の画像形成装置。
【請求項４】
前記異物ガードの鍔部と、前記スキャナ筐体内部の前記鍔部に対向する部位との間に、前記異物ガードを上方に付勢するように配置された付勢部材が設けられていることを特徴とする請求項３に記載の画像形成装置。
【発明の詳細な説明】
【技術分野】
【０００１】
本発明は、筐体背面の記録紙トレイから搬送された記録紙に画像を形成する画像形成装置に関し、特に、原稿台に載置された原稿を画像データとして読み取るスキャナ部を搭載しているものに関する。
【背景技術】
【０００２】
例えば特許文献１乃至特許文献３に示されているような、ＣＩＳ（Contact Image Sensor）等のセンサにより原稿台上に載置された原稿を画像データとして読み取るスキャナ部を搭載した、いわゆるオールインワン型の画像形成装置が知られている。スキャナ部の原稿台上には、原稿を原稿台に押さえつけるためのスキャナリッドが設けられている。スキャナリッドは、原稿台を開閉して原稿を載置しやすくするために筐体に対し回動可能に、且つ、厚い原稿にも対応可能となるように筐体に対し上下に変位可能に、筐体に対し上下に摺動可能に配置されたヒンジ部材に軸支されて設けられている。
【０００３】
ところで、オールインワン型の画像形成装置のうち、筐体背面に記録紙トレイが設けられている場合、スキャナリッドの上面に例えばクリップ等の異物がある状態でスキャナリッドを開状態にすると、その異物が記録紙トレイと筐体との間に落下し、故障等の不具合が発生する原因になることがある。これを防止した画像形成装置として、例えば特許文献４に示されているように、記録紙トレイの前方に、記録紙トレイに異物の落下を防止するための異物ガードを設けたものが知られている。特許文献４の画像形成装置では、異物ガードは筐体に回動可能に取り付けられている。
【０００４】
しかしながら、特許文献４の画像形成装置においては、スキャナリッドと異物ガードとが別々に設けられているため、例えば異物ガードを、記録紙トレイを覆うように付勢するためのばね等を用いて取り付けると、上記のヒンジ部材等とあわせて部品点数が多くなり、製造コストが高くなってしまう。また、スキャナリッドに異物ガードを設けた画像形成装置も知られているが、記録紙トレイに記録紙を容易に装填可能にするためには異物ガードを回動可能に取り付けなければならず、やはり、同様に、製造コストが高くなってしまう。なお、特許文献１乃至特許文献３には、上記問題点に対する有効な解決策等は開示されていない。
【０００５】
なお、特許文献５には、スキャナリッドと一体形成された原稿落下防止部材を設けたスキャナ装置が示されている。しかしながら、特許文献５には、スキャナリッドの上面からの異物の落下を防止する異物ガードは示されておらず、上記問題点の解決策として有効なものは開示されていない。
【特許文献１】特開平１０‐２０４１６号公報
【特許文献２】特開平１１‐３０５３５８号公報
【特許文献３】特開２０００‐７５４２３号公報
【特許文献４】特開２００５‐８６６４０号公報
【特許文献５】特開２００５‐１２２４６号公報
【発明の開示】
【発明が解決しようとする課題】
【０００６】
本発明は、上記問題点を鑑みてなされたものであり、簡易な構造により筐体にスキャナリッドと異物ガードとを設け、スキャナリッドを開状態にしたときに記録紙トレイへの異物の落下を確実に防止することができ、且つ、記録紙トレイへの記録紙の装填を容易に行うことができる画像形成装置を提供することを目的とする。
【課題を解決するための手段】
【０００７】
上記目的を達成するため、請求項１の発明は、プリンタ筐体と、前記プリンタ筐体の背面に、上面が装置前方を向くように傾けて設けられ、記録紙が立てかけられるようにして装填される記録紙トレイと、前記プリンタ筐体上部に配置され、上面に略矩形形状の原稿台が設けられたスキャナ筐体と、前記原稿台の上面を覆うように配置され、原稿を前記原稿台との間で挟むことによりその原稿を前記原稿台に密着させる略平板状のスキャナリッドと、前記記録紙トレイの前方に、前記記録紙トレイの幅方向に渡り前記スキャナリッドの上面から突出するように設けられ、前記スキャナリッド上面から異物が前記記録紙トレイ上に落下しないようにガードする異物ガードと、前記スキャナ筐体の内部に収納されており、前記原稿台上に載置された原稿を画像データとして読み取る機能を有するスキャナ部と、前記プリンタ筐体の内部に配置され、前記スキャナ部により読み取られた原稿の画像データ又は外部装置から入力された画像データに基づいて、前記記録紙トレイから給紙された記録紙に画像を形成する機能を有する画像形成部とを備え、前記記録紙トレイは、記録紙を装填可能な開状態から前方に回動され、前記スキャナリッドに沿うような収納状態に変位可能に構成されている画像形成装置において、前記スキャナ筐体は、その上面に形成され前記異物ガードが貫装された孔部と、前記孔部の長手方向両側部下方に、上下方向に形成された支持溝部とを有しており、前記異物ガードは、前記孔部から上方に突出する平板部と、前記平板部下方に設けられ、前記スキャナ筐体内部に埋入される鍔部と、前記平板部の両側部下方に形成され前記支持溝部に嵌装されたガイド突起と、前記平板部の両側面の上方に上下方向が長手方向となるような長穴形状に形成されたヒンジ穴とを有しており、前記スキャナリッドは、前記ヒンジ穴に摺動可能に嵌装された突起形状の回動軸を有しており、前記スキャナ筐体に対し、前記回動軸を中心に回動可能に、且つ、前記ヒンジ穴に沿って上下に変位可能に取り付けられており、前記異物ガードの鍔部と、前記スキャナ筐体内部の前記鍔部に対向する部位との間に、前記異物ガードを上方に付勢するように自然状態から圧縮されたばねが配置されており、前記異物ガードは、前記記録紙トレイが開状態であるときには、前記ばねに付勢され前記平板部が前記スキャナリッドの上面から突出し、異物の前記記録紙トレイ上への落下を防止することが可能であり、前記記録紙トレイが開状態から収納状態になるとき、前記異物ガードの上端部に前記記録紙トレイが当接し、前記ガイド突起が前記支持溝部に沿って摺動することにより、前記異物ガードが下方に変位して前記スキャナ筐体内部に押し込まれ、コンパクトに収納可能になるものである。
【０００８】
請求項２の発明は、プリンタ筐体と、前記プリンタ筐体の背面に、上面が装置前方を向くように傾けて設けられ、記録紙が立てかけられるようにして装填される記録紙トレイと、前記プリンタ筐体上部に配置され、上面に原稿台が設けられたスキャナ筐体と、前記原稿台の上面を覆うように配置され、原稿を前記原稿台との間で挟むことによりその原稿を前記原稿台に密着させるスキャナリッドと、前記記録紙トレイの前方に、前記記録紙トレイの幅方向に渡り前記スキャナリッドの上面から突出するように設けられ、前記スキャナリッド上面から異物が前記記録紙トレイ上に落下しないようにガードする異物ガードと、前記スキャナ筐体の内部に収納されており、前記原稿台上に載置された原稿を画像データとして読み取る機能を有するスキャナ部と、前記プリンタ筐体の内部に配置され、前記スキャナ部により読み取られた原稿の画像データ又は外部装置から入力された画像データに基づいて、前記記録紙トレイから給紙された記録紙に画像を形成する機能を有する画像形成部とを備えた画像形成装置において、前記異物ガードは、前記スキャナ筐体に、上方に突出するように設けられており、前記異物ガードの両側面には、水平方向に対し角度をつけた方向が長手方向となるような長穴形状に形成されたヒンジ穴が形成されており、前記スキャナリッドは、前記ヒンジ穴に摺動可能に嵌装された突起形状の回動軸を有しており、前記スキャナ筐体に対し、前記回動軸を中心に回動可能に、且つ、前記ヒンジ穴の長手方向に変位可能に取り付けられているものである。
【０００９】
請求項３の発明は、請求項２の発明において、前記スキャナ筐体は、その上面に形成され前記異物ガードが貫装された孔部と、前記スキャナ筐体内部のうち前記孔部の端縁近傍部位の下方に、上下方向に形成された支持溝部とを有しており、前記異物ガードは、前記孔部から上方に突出する平板部と、前記平板部下方に設けられ、前記スキャナ筐体内部に埋入される鍔部と、前記平板部又は鍔部に形成され前記支持溝部に嵌装されたガイド突起とをさらに有しており、前記異物ガードは、前記ガイド突起が前記支持溝部に沿って摺動することにより、前記平板部が前記スキャナ筐体の上面から突出した状態から下方に変位し、前記スキャナ筐体内部に押し込まれるものである。
【００１０】
請求項４の発明は、請求項３の発明において、前記異物ガードの鍔部と、前記スキャナ筐体内部の前記鍔部に対向する部位との間に、前記異物ガードを上方に付勢するように配置された付勢部材が設けられているものである。
【発明の効果】
【００１１】
請求項１の発明によれば、スキャナリッドは、異物ガードの両側面のヒンジ穴に回動軸が嵌装されて、スキャナ筐体に対し回動可能且つ上下変位可能に配置されており、異物ガードは、ばねを用いてスキャナ筐体内部から上方に付勢されて設けられているので、スキャナリッドを軸支するためのヒンジ部材等を用いる必要が無く、画像形成装置が部品点数が少ない簡易な構造になり、製造コストを低減することが可能である。また、異物ガードは、スキャナ筐体に設けられており、スキャナリッドが回動されたときにも姿勢が変化しないので、記録紙トレイへの異物の落下を確実に防止可能であり、また、記録紙トレイに記録紙を容易に装填可能に構成することが可能である。さらにまた、異物ガードは、支持溝部に沿って上下方向に摺動し、平板部がスキャナ筐体の上面から突出した状態から下方に変位してスキャナ筐体内部に押し込まれるように構成されているので、異物ガードが妨げになることなく、記録紙トレイを開状態から収納状態にすることができる。従って、画像形成装置をよりコンパクトに収納可能にすることが可能になる。異物ガードには鍔部が設けられているので、異物ガードがスキャナ筐体から抜脱することなく、画像形成装置がより扱いやすくなる。また、鍔部の下方には異物ガードを上方に付勢するばねが配されているので、記録紙トレイが開状態である通常使用時において、異物ガードが上方に突出した状態で保たれ、確実に異物の落下を防止することができる。
【００１２】
請求項２の発明によれば、スキャナリッドは、異物ガードの両側面のヒンジ穴に回動軸が嵌装されて、スキャナ筐体に対し回動可能に、且つ、ヒンジ穴の長手方向に変位可能に配置されているので、スキャナリッドを軸支するためのヒンジ部材等を用いる必要が無く、画像形成装置が部品点数が少ない簡易な構造になり、製造コストを低減することが可能である。また、異物ガードは、スキャナ筐体に設けられており、スキャナリッドが回動されたときにも姿勢が変化しないので、記録紙トレイへの異物の落下を確実に防止可能であり、また、記録紙トレイに記録紙を容易に装填可能に構成することが可能である。
【００１３】
請求項３の発明によれば、異物ガードは、支持溝部に沿って上下方向に摺動し、平板部がスキャナ筐体の上面から突出した状態から下方に変位してスキャナ筐体内部に押し込まれるように構成されているので、例えば収納時等、異物ガードが必要ないときには、異物ガードをスキャナ筐体内部に押し込み、スキャナ筐体上面からの平板部の突出量を少なくすることが可能である。また、異物ガードには鍔部が設けられているので、異物ガードがスキャナ筐体から抜脱することがなく、画像形成装置がより扱いやすくなる。
【００１４】
請求項４の発明によれば、鍔部の下方には異物ガードを上方に付勢するばねが配されているので、記録紙トレイが開状態である通常使用時において、異物ガードが上方に突出した状態で保たれ、確実に異物の落下を防止することができる。
【発明を実施するための最良の形態】
【００１５】
以下、本発明の一実施形態について図面を参照しつつ説明する。図１及び図２は、本実施形態に係る画像形成装置の一例を示す。この画像形成装置１は、いわゆるオールインワン型のものであり、樹脂製のプリンタ筐体１０に配置された画像形成部２と、プリンタ筐体１０の上部に配置されたスキャナ筐体２０の内部に配置され、原稿を画像データとして読み取る機能を有するスキャナ部３と、プリンタ筐体１０の上面に配置され、画像形成装置１を操作するためにユーザにより操作される操作ボタン４及び画像形成装置１の動作状態等を表示する液晶表示部５と、例えばプリンタ筐体１０の前面に配置され、例えばデジタルスチルカメラやメモリーカード等の外部機器が接続されるコネクタ部７等を有している。画像形成部２は、例えばインクジェット方式により記録紙Ｐに画像を形成する機能を有している。
【００１６】
プリンタ筐体１０の背面には、画像形成部２に搬送される記録紙Ｐが装填される記録紙トレイ１５が設けられており、プリンタ筐体１０の前面には、画像形成部２により画像が形成された記録紙が排出される排紙トレイ１６が設けられている。記録紙トレイ１５は、例えば、その上面が画像形成装置１の前方を向くように傾けて設けられており、記録紙Ｐが立てかけられるようにして装填されるように構成されている。図２に示すように、記録紙トレイ１５には、装填される記録紙Ｐの側端部を位置決めするためにユーザによりスライド操作される記録紙ガイド１５ａが取り付けられている。記録紙トレイ１５は、例えばスキャナ筐体２０に軸支されており、記録紙Ｐを装填可能な開状態から前方に回動されて、画像形成装置１の上面に沿うような略水平の収納状態にすることができるように構成されている。
【００１７】
画像形成部２は、例えば、記録紙トレイ１５から記録紙Ｐを一枚ずつプリンタ筐体１０の内部に給紙して、排紙トレイ１６上に排出するローラやローラを駆動するモータ等を有する記録紙搬送機構や、プリンタ筐体１０の内部に搬送された記録紙Ｐにインクを吐出するノズル等を搭載するキャリッジや、キャリッジを往復駆動させるモータ及び駆動ベルト等で構成されている。画像形成装置１は、例えば、コネクタ部７等に接続された外部機器や、例えばプリンタ筐体１０の背部に設けられたコネクタ（図示せず）等を介して接続された外部のパーソナルコンピュータ等から入力された画像データ等や、スキャナ部３により読み取られた画像データ等を用いて、画像形成部２により記録紙Ｐに画像を形成する機能を有している。なお、画像形成部２は、例えば電子写真方式や熱転写方式等により記録紙に画像を形成するようなものであってもよい。
【００１８】
図２に示すように、スキャナ筐体２０は、上方に開口した箱体形状の下パネル２２の上面を、上パネル２１で覆ってなる略直方体形状であり、プリンタ筐体１０の上部背面側の部位にて軸支され、プリンタ筐体１０に対して回動可能に配されている。この画像形成装置１は、スキャナ筐体２０を回動させて開状態にすることにより、画像形成部２を外部に露出させ、インクの補充など、画像形成部２の種々のメンテナンス作業を実行可能に構成されている。スキャナ筐体２０の上パネル２１の上面には、例えばガラス板からなる略矩形形状の原稿台３ａが配置されている。スキャナ部３は、スキャナ筐体２０の内部に収納されている。スキャナ部３は、例えば、原稿台３ａの内面に当接するように配置されたＣＩＳ（Contact Image Sensor）等の読取部３０ａと、この読取部３０ａを駆動するための駆動機構３０ｂ等（図示せず）で構成されている。スキャナ部３は、原稿台３ａ上に載置された原稿を読取部３０ａを用いて撮像することにより、その原稿を画像データとして読み取るように構成されている。
【００１９】
スキャナ筐体２０の原稿台３ａの上方には、略平板状のスキャナリッド（以下、リッドと称する）１１が配置されている。リッド１１は、原稿台３ａの上面を覆うように配置されている。このリッド１１の下面の原稿台３ａに対応する位置には、例えばスポンジ等を用いたパッド１２が取り付けられており、原稿台３ａに載置された原稿を原稿台３ａとパッド１２との間で挟むことにより、その原稿を原稿台３ａに密着させ、原稿台３ａ上で原稿が動かないように保持するように構成されている。記録紙トレイ１５の前方には、記録紙トレイの幅方向に渡りリッド１１の上面から突出するように、異物ガード４０が配置されている。本実施形態において、スキャナ筐体２０の上パネル２１の記録紙トレイ１５側には、長穴形状の孔部２１ａが形成されており、異物ガード４０は、その孔部２１ａから上方に突出するように、孔部２１ａに貫装されている。異物ガード４０は、リッド１１の上面に例えばクリップ等の異物がある場合に、リッド１１が水平状態から後方に傾く姿勢となっても、その異物が記録紙トレイ１５上に落下しないように、記録紙トレイ１５をガードするように配置されている。画像形成装置１は、この異物ガード４０が設けられることにより、記録紙トレイ１５への異物落下による故障等を未然に防止できるように構成されている。
【００２０】
図３，図４は、スキャナ筐体２０のうち、リッド１１と異物ガード４０が設けられている部位を示す。図に示すように、スキャナ筐体２０の上パネル２１には、記録紙トレイ１５がトレイ回動軸１５ｂを中心に回動可能（図３の矢印で示す）に取り付けられている。上パネル２１のうち、孔部２１ａの長手方向の両側部下方、すなわちスキャナ筐体２０内部側には、下方に向けて形成された突起部２１ｂが形成されており、その突起部２１ｂには、長穴形状の支持溝部２１ｃが形成されている。
【００２１】
図５（ａ）、（ｂ）は、異物ガード４０を示す。なお、図には異物ガード４０の片側の端部のみを示すが、異物ガード４０は、両端部に略左右対称となる形状を有している。異物ガード４０は、孔部２１ａから上方に突出する部位となる平板部４０ａと、平板部４０ａの両側面に形成されたヒンジ穴４１と、平板部４０ａの下端部に形成された鍔部４２と、平板部４０ａの両側面下部に形成された例えば円柱ピン形状のガイド突起４３とを有している。異物ガード４０は、例えば樹脂等により一体に成型されて構成されている。ヒンジ穴４１は、平板部４０ａの上方に、上下方向が長手方向となるような長穴形状に形成されている。鍔部４２は、平板部４０ａから前方に張り出すように形成されており、スキャナ筐体２０の内部に埋入される部位となる。
【００２２】
図３に示すように、異物ガード４０は、平板部４０ａを孔部２１ａからスキャナ筐体２０の上面側に突出させ、ガイド突起４３を支持溝部２１ｃに摺動可能に嵌装した状態で配置されている。すなわち、異物ガード４０は、ガイド突起４３を支持溝部２１ｃに沿って摺動させながら、平板部４０ａがスキャナ筐体２０の上面から突出した状態から下方に変位させ、スキャナ筐体２０の内部に押し込み可能に取り付けられている。本実施形態においては、鍔部４２の下面に形成された台座部４２ａと、下パネル２２のうち、鍔部４２に対向する部位に形成された台座部２２ａとの間には、弦巻形状のばね（付勢部材）４８が配置されている。ばね４８は、異物ガード４０を上方に付勢するように、自然状態よりも若干量圧縮された状態で配置されている。本実施形態において、ばね４８は、例えば、異物ガード４０の両端部にそれぞれ１つずつ、合計２カ所に配置されている。異物ガード４０のばね４８は、例えば、２つのばね４８による異物ガード４０への付勢力が、異物ガード４０を十分に上方に押し上げることができる程度に、ばね定数が小さく設定されている。従って、通常の使用状態においては、異物ガード４０が、ばね４８により上方に付勢され、鍔部４２が上パネル２１の内面側に当接して平板部４０ａがスキャナ筐体２０の上方に突出した状態で保持されるように構成されている。
【００２３】
図２に示すように、リッド１１は、その後端部近傍部位に、ヒンジ穴４１に摺動可能に嵌装された例えば円柱ピン形状の回動軸１１ｂを有している。また、図４に示すように、リッド１１の上面のうち回動軸１１ｂの近傍部位には、リッド１１の上面から一段下方に落とし込まれた当接面１１ｃが形成されている。リッド１１は、図３に示すように、回動軸１１ｂがヒンジ穴４１に嵌装されることにより、スキャナ筐体２０に対し回動可能に取り付けられている。原稿台３ａ上に原稿等が載置されていなかったり、薄い原稿が載置されているときには、回動軸１１ｂがヒンジ穴４１の内部で下方に位置し、異物ガード４０がリッド１１の上面から大きく突出し、記録紙トレイ１５上への異物の落下が防止されるように構成されている。
【００２４】
他方、図６に示すように、原稿台３ａ上に、例えば書籍等、厚い原稿Ｇ（図に２点鎖線で示す）が載置されているときには、回動軸１１ｂがヒンジ穴４１の内部で下方に位置する状態から摺動し、回動軸１１ｂがヒンジ穴４１の内部で上方に位置した状態で、原稿Ｇがリッド１１により原稿台３ａに押さえつけられる。このとき、ヒンジ穴４１に沿ってリッド１１が変位するので、原稿台３ａ上に載置される原稿が厚いときでも、リッド１１の姿勢を略水平にすることができ、リッド１１により原稿Ｇを適当に押さえつけることができ、原稿Ｇを良好に読み取り可能になるように構成されている。
【００２５】
図７は、回動軸１１ｂを中心に回動させ、原稿台３ａを露出させた状態のリッド１１を示す。例えば、原稿台３ａに原稿を載置したり、載置されている原稿を原稿台３ａから取り除くときには、図に矢印で示すように、リッド１１を回動させ、原稿台３ａを露出させる。このとき、異物ガード４０はスキャナ筐体２０から突出したまま傾いたりせず、リッド１１上に異物があっても、その異物が記録紙トレイ１５上に落下することを確実に防止することができる。また、本実施形態においては、リッド１１を略鉛直状態になるまで回動させたとき、異物ガード４０の平板部４０ａが当接面１１ｃに当接することにより、リッド１１がそれ以上回動せず、リッド１１が記録紙トレイ１５に向け倒れないように支持されるように構成されている。なお、異物ガード４０の鍔部４２は、平板部４０ａから前方に張りだすように形成されているので、平板部４０ａに、平板部４０ａが後方に倒れる向きに、ガイド突起４３周りのモーメントが加わったとしても、異物ガード４０が回動することがなく、リッド１１が確実に支持される。
【００２６】
図８は、記録紙トレイ１５の収納状態を示す。記録紙トレイ１５を開状態から前方に回動させると、記録紙トレイ１５が、リッド１１の上面から突出する異物ガード４０の上端部に当接する。そして、そのまま記録紙トレイ１５が回動されるに従い、異物ガード４０が、支持溝部２１ｃに沿って、記録紙トレイ１５により下方に押し込まれる。そのため、異物ガード４０が設けられていても、図に示すように、記録紙トレイ１５が、リッド１１の上面に沿うような略水平な収納状態にすることが可能となり、画像形成装置１をコンパクトに収納することができる。
【００２７】
以上説明したように、本実施形態によれば、リッド１１は、異物ガード４０の両側面のヒンジ穴４１に回動軸１１ｂが嵌装されて、スキャナ筐体２０に対し回動可能且つ上下変位可能に配置されているので、リッド１１を軸支するために、別部材となるヒンジ部材等を用いる必要がない。従って、画像形成装置１を部品点数が少ない簡易な構造にすることができ、製造コストを低減することが可能になる。また、異物ガード４０は、スキャナ筐体２０に設けられており、リッド１１が回動されたときにも姿勢が変化しないので、記録紙トレイ１５への異物の落下を確実に防止可能であり、また、記録紙トレイ１５に記録紙を容易に装填可能に構成することが可能である。異物ガード４０には鍔部４２が設けられているので、異物ガード４０がスキャナ筐体２０から抜脱することなく、画像形成装置１がより扱いやすくなる。
【００２８】
なお、本発明は上記実施形態の構成に限定されるものではなく、発明の趣旨を変更しない範囲で適宜に種々の変形が可能である。例えば、記録紙トレイは、回動可能に設けられていなくてもよい。また、ばね４８を設ける代わりに、例えばスポンジ部材等、他種の部材により、異物ガードを上方に付勢するように構成されていてもよい。さらにまた、異物ガードは、スキャナ筐体に上下方向に変位しないように立設されており、その両側面に形成された長穴形状のヒンジ穴にリッドの回動軸が嵌装されることにより、リッドが回動可能且つ上下方向に変位可能に取り付けられていてもよい。
【図面の簡単な説明】
【００２９】
【図１】本発明の一実施形態に係る画像形成装置の一例を示す斜視図。
【図２】上記装置のスキャナ部の構成を示す斜視図。
【図３】上記装置の異物ガードが設けられている部位を示す側面図。
【図４】上記装置の異物ガードが設けられている部位の部品構成を示す側面図。
【図５】（ａ）は上記異物ガードの一端部を示す斜視図、（ｂ）は（ａ）を異なる角度から見た斜視図。
【図６】上記装置の原稿台上に厚い原稿を載置したときの異物ガードが設けられている部位を示す側面図。
【図７】上記装置のリッドを開状態にしたときの異物ガードが設けられている部位を示す側面図。
【図８】上記装置の記録紙トレイを閉状態にしたときの異物ガードが設けられている部位を示す側面図。
【符号の説明】
【００３０】
１  画像形成装置
２  画像形成部
３  スキャナ部
３ａ  原稿台
１０  プリンタ筐体
１１  スキャナリッド
１１ａ  回動軸
１５  記録紙トレイ
２０  プリンタ筐体
２１ａ  孔部
２１ｃ  支持溝部
４０  異物ガード
４０ａ  平板部
４１  ヒンジ穴
４２  鍔部
４３  ガイド突起
４８  ばね（付勢部材）
【図１】
2008306271.tif 000003
【図２】
2008306271.tif 000004
【図３】
2008306271.tif 000005
【図４】
2008306271.tif 000006
【図５】
2008306271.tif 000007
【図６】
2008306271.tif 000008
【図７】
2008306271.tif 000009
【図８】
2008306271.tif 000010